(57)【要約】【課題】刃を折ることなく使用する新規なカッターナイフを提供するものであり、刃先が露出しない状態で、刃の交換を行うことを可能とし、刃の交換に対する不安感を払拭でき、更に、刃の交換に不慣れな利用者が、非正規のやり方によって刃を交換するような場合であっても、安全に替刃の交換を行うことができること目的としている。 【解決手段】本発明は、刃先が露出しない状態で刃体を収納するブレードトレイと、前記刃体を前記トレイの一端からスライド移動させて刃先を露出させるスライダと、前記トレイ及び前記スライダを収納する本体ケースとを有するカッターナイフであって、前記スライダに前記スライド移動方向延びるレール部を有すると共に、前記トレイにはこのレール部に係合するスライダ保持部を有することを特徴とするものである。【選択図】  図６
2017221234.tif 000002
【特許請求の範囲】
【請求項１】
刃先が露出しない状態で刃体を収納するブレードトレイと、
前記刃体を前記トレイの一端からスライド移動させて刃先を露出させるスライダと、
前記トレイ及び前記スライダを収納する本体ケースとを有するカッターナイフであって、
前記スライダに前記スライド移動方向延びるレール部を有すると共に、前記トレイにはこのレール部に係合するスライダ保持部を有することを特徴とするカッターナイフ。
【請求項２】
前記ブレードトレイに爪部を有し、このブレードトレイを本体ケースに収納したときに、この爪部が入り込むロック部を本体ケースに有することを特徴とする請求項１に記載のカッターナイフ。
【請求項３】
前記スライダがホームポジションに位置している場合のみ、前記ブレードトレイを本体ケースから取り外すことが可能な請求項１項記載のカッターナイフ。
【請求項４】
前記ブレードトレイに突出部を有すると共に、前記スライダがホームポジションに位置してしている場合に前記ブレードトレイの突出部が係合する係止部が前記スライダに設けられていることを特徴とする請求項２項記載のカッターナイフ。
【請求項５】
前記スライダがホームポジションから押し出される時、及びスライダがホームポジションに戻される時のみ、スライダの操作負荷を増加させる部材を有することを特徴とする請求項１項記載のカッターナイフ。
【発明の詳細な説明】
【技術分野】
【０００１】
本発明は、刃を折らないで使用する新規な構造のカッターナイフに関するものである。
【背景技術】
【０００２】
従来の、替刃の交換が可能なカッターナイフは、刃に等間隔に溝が設けられており、この溝で折って使用可能となっている。
しかしながら、刃は金属であり、かなりの力を加えないと折れないため、特に女性等は折って使用していないことが多い。
【先行技術文献】
【特許文献】
【０００３】
【特許文献１】特開２００８−２２９０７７号公報
【発明の概要】
【発明が解決しようとする課題】
【０００４】
従来のカッターナイフの刃を折らずに使用している利用者用に、刃を折ることなく使用する新規な構造のカッターナイフを提供するものである。
また、刃先が露出しない状態で、刃の交換を行うことを可能とし、刃の交換に対する不安感を払拭できるカッターナイフを提供するものであり、更に、刃の交換に不慣れな利用者が、非正規のやり方によって刃を交換するような場合であっても、安全性を確保することを目的としている。
【課題を解決するための手段】
【０００５】
本発明のカッターナイフは、請求項１項に記載されたとおり、刃先が露出しない状態で刃体を収納するトレイと、前記刃体を前記トレイの一端からスライド移動させて刃先を露出させるスライダと、前記トレイ及び前記スライダを収納する本体ケースとを有するカッターナイフであって、前記スライダに前記スライド移動方向に延びるレール部を有すると共に、前記ブレードトレイにはこのレール部に係合するスライダー保持部を有することを特徴とするものである。
【０００６】
また、請求項２に記載されたとおり、前記ブレードトレイに爪部を有し、このブレードトレイを本体ケースに収納したときに、この爪部が入り込むロック部を本体ケースに有することを特徴としている。
また、請求項３に記載されたとおり、前記スライダがホームポジションに位置している場合のみ、前記ブレードトレイを本体ケースから取り外すことができることを特徴としている。
また、請求項４に示すとおり、前記ブレードトレイに突出部を有すると共に、前記スライダがホームポジションに位置してしている場合に前記ブレードトレイの突出部が係合する係止部が前記スライダに設けられていることを特徴としている。
更に、請求項５に記載されたとおり、前記スライダがホームポジションから押し出される時、及びスライダがホームポジションに戻される時のみ、スライダの操作負荷を増加させる部材を有することを特徴としている。
【発明の効果】
【０００７】
本発明によると、カッターナイフの刃先が露出することなく、替刃の交換ができるため、安全性の高いカッターナイフを提供することが可能となる。
【図面の簡単な説明】
【０００８】
【図１】本発明の実施形態に係るカッターナイフの斜視図である。
【図２】本発明の実施形態に係るカッターナイフのブレードトレイの前面図である。
【図３】本発明の実施形態に係るカッターナイフの本体ケースからブレードトレイを取り外した状態を示す図であり、（ａ）は本体ケースの断面図、（ｂ）はブレードトレイの上面図である。
【図４】本発明の実施形態に係るカッターナイフのスライダを示す図であり、（ａ）は前面図、（ｂ）は斜視図である。
【図５】本発明の実施携帯に係るカッターナイフのブレードトレイから刃体を取り外した状態を示す前面図である。
【図６】本発明の実施形態に係るカッターナイフのブレードトレイにスライダを接合した状態を示す前面図である。
【発明を実施するための形態】
【０００９】
以下、本発明の実施例を図を用いて説明する。
図１は、本実施例のカッターナイフ１の斜視図である。
２は本体ケース、３は本体ケース２の上面に設けられた開口から露出したスライダ、４はこの本体ケース２の上面の開口の側壁に設けられた連続した複数の凹凸からなるスライダ固定部、５は本体ケース２の一端に着脱可能に配置されるキャップ、６は上記スライダ３のスライド移動に伴って、図２に示す刃体７が出し入れされる開口である。
【００１０】
図２に刃体７を収納したブレードトレイ８の前面図を示す。
本実施例装置では、替刃は刃体７が収納されたブレードトレイ８で提供される。
このブレードトレイ８は、上側の側壁１０と、下側の側壁１１、及びこの上下の側壁１０，１１を連結する底面１２によって、断面が略コの字形状に構成されている。
上下の側壁１０、１１には、刃体７の紙面表方向（前方向）への移動を規制する突起１３が設けられており、底面１２には刃体７の楕円形状の開口に着脱可能に嵌合する突出片１４が、片持ちバネ１５の先端に設けられている。
この突起１３及び突出片１４の構造によって、刃体７は、簡単な構成で、容易かつ確実にブレードトレイ８に収納可能となる。
尚、刃体７の紙面表方向（前方向）への移動を、複数の小さな突起１３によって規制しているが、この構造は、突起ではなく、これらの突起を連結した側壁で構成するような場合に比べて、ブレードトレイ８の製造が容易となる。
【００１１】
また、上側の側壁１０の紙面右側には、図４に示すスライダ３に荷重付加を与えるための突出部１６が設けられている。
これは、スライダ３がホームポジション（最も右側に位置した状態）から左方向に移動する時、及びホームポジションに戻った時を、スライダ３の操作荷重によって使用者に知らせるものであり、安全性の向上を目的とした構造である。
【００１２】
更に、片持ちバネ１５の中央付近には、スライダ３によって紙面裏（後）方向に押圧されて、前記刃体７の略楕円状の開口からブレイドトレイ８の突出片１４を外すための操作突起１７が設けられている。
このため、ホームポジションからスライダ３を図中左側に移動すると、刃体７の略楕円状の開口からブレードトレイ８の突出片１４が外れて、スライダ３のスライド移動に伴って刃体７もスライド移動し、図１に示す本体ケース２の開口６から刃体７が押し出されて、カッターナイフ１の使用状態となる。
また、逆に、使用後にスライダ３を図中右方向に移動して、スライダ３がホームポジションに達すると刃体７の略楕円状の開口に、ブレードトレイ８の突出片１４が挿入されて、刃体７はブレードトレイ８に保持、固定される。
【００１３】
また、底面１２の図中右側には、図４に示されたスライダ３のレール部２３を挟み込んで保持するためのスライダー保持部１８が設けられている。
更に、この底面１２の図中右側端には弾性アーム部１９が設けられており、このアーム部１９端の図中裏（後）側には、このブレードトレイ８を、本体ケース２に固定するための爪部２０を有すると共に、表（前）側には、この爪部２０を本体ケース２から外す際に、スライダ３に係止される突出部２１が設けられている。
【００１４】
上述のブレードトレイ８の爪部２０、及び突出部２１の構造を図３を用いて説明する。
この図３（a）は本体ケース２の断面を表し、図３（ｂ）はブレードトレイ８の上面を表している。
本体ケース２の解放端側には、この解放端からブレードトレイ８及びスライダ３を挿入し、ホームポジションに達したとき、ブレイドトレイ８の爪部２０が入り込むための係止用開口（ロック部）２２が設けられている。
このため、スライダ３のスライド操作だけでは、スライダ３及びブレードトレイ８は、本体ケース２から外れない構造となっている。
したがって、このブレイドトレイ８を、本体ケース２から取り外すには、弾性アーム１９を図中矢印Ａの方向に撓ませて、本体ケース２の係止用開口（ロック部）２２から、爪部２０を外さなければならない。
これは、使用者に注意を促すための構造であり、ブレードトレイ８が、容易には本体ケース２から取り外せないことにより、替刃の交換作業に集中させることで、安全性をより高めることを目的とするものである。
【００１５】
スライダがホームポジション（右側端）に位置している場合、この矢印Ａの方向に弾性アーム１９を撓ませることによって、突出部２１は、図４に示すスライダ３に設けられた係止用開口（係止部）２４に挿入されることになり、ブレードトレイ８の取り外しに従って、スライダ３は連結された状態で、同時に取り外されることとなる。
これも、安全性を考慮したものであり、ブレードトレイ８を本体ケース２から取り外す際に、スライダ３と分離されて、刃体７が露出してしまうような状態を回避することを目的としたものである。
【００１６】
本実施例に用いられているスライダ３の構造を図４に示す。
図４（a）はスライダ３の前面を表している。
また、図（b）は、スライダ３を斜めから見た状態を表している。
このスライダ３の右側の下端部には、スライド方向に沿って、レール部（本体の前面に対する段差部）２３が設けられている。
替刃の交換の際に、刃体７を収納したブレードトレイ８に、このスライダ３を接合することになるが、その際、レール部２３の左端にブレードトレイ８のスライダー保持部１８を配置することで、接合がなされる。
このとき、このレール部２３がスライダー保持部１８に挟み込まれると共に、図６に示すように、刃体７の開口に、スライダのボス２５が挿入されることによって、刃体７はスライダ３に固定されると共に、スライダ３はブレードトレイ３に固定される。
この構造によって、使用者は、容易にブレードトレイ８にスライダ３を接合することが可能となると共に、この接合が強固になり、替刃の取り換え作業を、より安全に行うとが可能となる。
【００１７】
また、このレール部２３の一端側に、ブレイドトレイ８の突出部２１が入り込むための係止用開口（係止部）２４が設けられている。
前述のように、スライダがホームポジションに位置した状態で、ブレードトレイ８の弾性アーム部１９を撓ませて、本体ケース２の係止用開口２２から爪部２０を外す際に、ブレードトレイ８の突出部２１が、この係止用開口２４に入り込む。
このため、上述のように、確実にブレードトレイ８とスライダ３が連結された状態で、ブレイドトレイ８を、本体ケース２から取り外すことが可能となる。
【００１８】
尚、スライダ３がホームポジションに位置していない状態で、弾性アーム１９を撓ませて、本体ケース２の係止用開口２２から爪部２０を外してブレードトレイ８を本体ケース２から取り外そうとした場合（非正規な取り外しの場合）、図６に示すスライダ３のボス２６が、図５に示すブレードトレイ８の先端部に設けられた係止部２９に接合するため、ブレードトレイ８は本体ケース２から取り外せない構成とされている。
これは、スライダ３がホームポジションに位置している場合のみに、ブレードトレイ８の交換（替刃の交換）が行えるようにするものであり、安全性を考慮したものである。
【００１９】
以上のような２つの構造、すなわち、スライダ３とブレードトレイ８の相対的なスライド移動では、係止部２９によって、スライダ３とブレードトレイ８とを分離できない構造と、スライダ３がホームポジションに位置した状態で、本体ケース２からブレードトレイ８を引き出す場合に、スライダ３とブレードトレイ８が連結されて同時に引き出される構造によって、替え刃の交換時は、刃体７がブレードトレイ８とスライダ３とで保護され、刃先が露出することを確実に回避することがでるため、安全に替刃を交換することが可能となる。
【００２０】
また、スライダー３の上面には操作部２５が設けられている。
この操作部２５の上面を指で押すことによって、このスライダー３が刃体７と共に、本体ケース２に対してスライド移動され、図１に示された本体ケース２の開口６から、刃体７の出し入れが行われる。
尚、このスライダ３のスライド動作は、通常のカッターナイフと同様であるため、図示しないが、この操作部２５の下部には、図１で示した連続した凹凸からなるスライダ固定部の凹部に嵌る凸部が設けられている。
【００２１】
図５にブレードトレイ８から刃体７を取り外した状態を示し、図６にブレードトレイ８にスライダ３を固定した状態を示す。
尚、図６では、図には現れないスライダ３の裏側の構成物をも、便宜上記載している。
このスライダ３の裏側には、刃体７の開口に挿入されるボス２６が設けられている。
また、ブレイドトレイ８の操作突起１７を、紙面上奥（裏）方向に押圧して刃体７の開口から突出片１４を外すための凸部２７を有している。
更に、前述の図２に示されたブレードトレイ８の突出部１６に接合する突出部２８が設けられている。
このブレイドトレイ８の突出部１６とスライダ３の突出部２８で、スライダ３の操作負荷を増加させる部材を構成している。
スライダ３をホームポジションからスライド移動を開始する時、及びホームポジションへスライダ３を戻すときのみ、この突出部１６と突出部２７は接合して操作荷重が重くなる。
このため、刃体７の収納状態を、このカッターナイフ１の使用者に知らせることが可能となり、スライダ３がホームポジションにある安全な状態での替刃の交換を促すことが可能となる。
【００２２】
以上、本発明の実施形態を説明したが、本発明は本実施形態によって限定されることはなく、種々変更を加えて実施することができる。
例えば、スライダやブレードトレイの形状は、上記実施例の形状に限定されるものではなく、本体ケースのロック部は開口ではなく、段差形状としてもよい。
【００２３】
また、スライダの係止部も上記実施例では開口としたが、段差形状でもよい。
更に、本体ケースの形状や刃体の形状、或はスライダの操作負荷を増加させる部材も種々変更可能である。
【符号の説明】
【００２４】
１：カッターナイフ
２：本体ケース
３：スライダ
７：刃体
８：ブレードトレイ
１８：スライダ保持部
２０：爪部
２１：突出部
２２：係止用開口（ロック部）
２３：レール部
２４：係止用開口（係止部）
２９：係止部
【図１】
2017221234.tif 000003
【図２】
2017221234.tif 000004
【図３】
2017221234.tif 000005
【図４】
2017221234.tif 000006
【図５】
2017221234.tif 000007
【図６】
2017221234.tif 000008